(57)【要約】  必要とするロール処理ユニット又は既存のロール処理ユニットを入力すれば、ユーザのニーズに合った最適なグラビア製版用ロール処理システムの構成例を選定できるようにしたグラビア製版用ロール処理システムの構成例選定システムを提供する。  複数のグラビア製版用ロール処理システムの構成例を記憶する記憶部と、ユーザ側情報として、必要とするロール処理ユニット又は既存のロール処理ユニットを入力するためのユーザ側情報入力操作部と、前記入力操作部によって入力されたユーザ側情報に基づいて、前記記憶部に記憶された複数のグラビア製版用ロール処理システムの構成例の中からユーザに最も適したロール処理システムの構成例を選定する制御部と、前記選定された特定のグラビア製版用ロール処理システムを表示する表示部と、を含む、グラビア製版用ロール処理システムの構成例選定システムとした。
2019159589.tif 000002
【特許請求の範囲】
【請求項１】
少なくとも一つの産業用ロボットと、前記産業用ロボットのハンドリングエリアに設けられた少なくとも一つのロール処理ユニットと、前記産業用ロボットのハンドリングエリアに設けられた少なくとも一つのロールストック装置とを含む複数のグラビア製版用ロール処理システムの構成例を記憶する記憶部と、
ユーザ側情報として、必要とするロール処理ユニット又は既存のロール処理ユニットを入力するためのユーザ側情報入力操作部と、
前記入力操作部によって入力されたユーザ側情報に基づいて、前記記憶部に記憶された複数のグラビア製版用ロール処理システムの構成例の中からユーザに最も適したロール処理システムの構成例を選定する制御部と、
前記選定された特定のグラビア製版用ロール処理システムを表示する表示部と、
を含む、グラビア製版用ロール処理システムの構成例選定システム。
【請求項２】
前記ユーザ側情報として、日産本数をさらに入力するようにした、請求項１記載のロール処理システムの構成例選定システム。
【請求項３】
前記ロール処理システムの構成例選定システムが、ユーザ端末装置と、前記ユーザ端末装置と通信ネットワークを介して接続されたサーバと、を含み、
前記ユーザ端末装置がユーザ側情報入力操作部及び前記表示部を備え、
前記サーバが前記記憶部及び前記制御部を備えてなる、請求項１又は２記載のロール処理システムの構成例選定システム。
【発明の詳細な説明】
【技術分野】
【０００１】
本発明は、ユーザのニーズに合った最適なグラビア製版用ロール処理システムの構成例を選定できるようにした選定システムに関する。
【背景技術】
【０００２】
従来、腐食法／レーザ製版法による被製版ロールのグラビア製版工程は、例えば、搬入−脱脂−水洗−酸洗い−水洗−バラード処理−水洗−バラード銅メッキ−水洗−砥石研磨−水洗−感光材コート−レーザ露光装置による画像焼付−現像−水洗−食刻−水洗−レジスト剥離−水洗−酸洗い−水洗−硬質皮膜処理（クロムメッキやＤＬＣ膜形成）−水洗−研磨−水洗−搬出の工程となっている。【０００３】
そして、かかるグラビア製版工程を全自動で行う全自動グラビア製版用処理システムとして、例えば特許文献１又は特許文献２に開示されたものが知られている。【０００４】
特許文献１又は特許文献２に記載された全自動グラビア製版用処理システムは、グラビア製版ロールの製造に必要な全ての製版工程を全て行うことができ、版母材となる中空ロールの搬入から全ての製版処理を終えて搬出するまで全自動で行うことができる。【０００５】
しかしながら、ユーザの中には、銅メッキ処理装置を既に所有していたり、ペーパー研磨装置や砥石研磨装置などの研磨装置を既に所有していたりして、全ての製版工程を行う全自動グラビア製版用処理システムを望まない場合も存在する。
【先行技術文献】
【特許文献】
【０００６】
【特許文献１】ＷＯ２０１１／１２５９２６
【特許文献２】ＷＯ２０１２／０４３５１５
【発明の概要】
【発明が解決しようとする課題】
【０００７】
本発明は、上記した従来技術に鑑みてなされたもので、必要とするロール処理ユニット又は既存のロール処理ユニットを入力すれば、ユーザのニーズに合った最適なグラビア製版用ロール処理システムの構成例を選定できるようにしたグラビア製版用ロール処理システムの構成例選定システムを提供することを目的とする。
【課題を解決するための手段】
【０００８】
上記課題を解決するため、本発明に係るグラビア製版用ロール処理システムの構成例選定システムは、少なくとも一つの産業用ロボットと、前記産業用ロボットのハンドリングエリアに設けられた少なくとも一つのロール処理ユニットと、前記産業用ロボットのハンドリングエリアに設けられた少なくとも一つのロールストック装置とを含む複数のグラビア製版用ロール処理システムの構成例を記憶する記憶部と、ユーザ側情報として、必要とするロール処理ユニット又は既存のロール処理ユニットを入力するためのユーザ側情報入力操作部と、前記入力操作部によって入力されたユーザ側情報に基づいて、前記記憶部に記憶された複数のグラビア製版用ロール処理システムの構成例の中からユーザに最も適したロール処理システムの構成例を選定する制御部と、前記選定された特定のグラビア製版用ロール処理システムを表示する表示部と、を含む、グラビア製版用ロール処理システムの構成例選定システムである。【０００９】
前記ユーザ側情報として、日産本数をさらに入力するようにするのが好適である。【００１０】
前記ロール処理システムの構成例選定システムが、ユーザ端末装置と、前記ユーザ端末装置と通信ネットワークを介して接続されたサーバと、を含み、前記ユーザ端末装置がユーザ側情報入力操作部及び前記表示部を備え、前記サーバが前記記憶部及び前記制御部を備えてなるのが好適である。
【発明の効果】
【００１１】
本発明によれば、必要とするロール処理ユニット又は既存のロール処理ユニットを入力すれば、ユーザのニーズに合った最適なグラビア製版用ロール処理システムの構成例を選定できるようにしたグラビア製版用ロール処理システムの構成例選定システムを提供することができるという著大な効果を奏する。
【図面の簡単な説明】
【００１２】
【図１】本発明のグラビア製版用ロール処理システムの構成例選定システムに選定される構成例（ａ）〜（ｈ）の実施の形態を示す図である。
【図２】本発明のグラビア製版用ロール処理システムの構成例選定システムのブロック構成図である。
【図３】本発明のグラビア製版用ロール処理システムの構成例選定システムにおける構成例選定処理の流れを示すフローチャートの１例である。
【発明を実施するための形態】
【００１３】
以下に本発明の実施の形態を説明するが、これら実施の形態は例示的に示されるもので、本発明の技術思想から逸脱しない限り種々の変形が可能なことはいうまでもない。
【００１４】
図１はグラビア製版用ロール処理システムの構成例選定システムに選定されるグラビア製版用ロール処理システムの構成例（ａ）〜（ｈ）の実施の形態を示す図である。
【００１５】
図１において、グラビア製版用ロール処理システムの構成例（ａ）〜（ｈ）は、少なくとも一つの産業用ロボット１０と、前記産業用ロボット１０のハンドリングエリアに設けられた少なくとも一つのロール処理ユニット１２と、前記産業用ロボットのハンドリングエリアに設けられた少なくとも一つのロールストック装置１４とを含むグラビア製版用ロール処理システムの構成例１６ａ〜１６ｈをそれぞれ示している。なお、図１において、符号１８はグラビア製版用ロール処理システムの構成例１６ａ〜１６ｈそれぞれに備え付けられたコントロールパネルである。コントロールパネル１８としては、例えば１台以上のラップトップコンピュータなどの汎用コンピュータを適用することができる。
【００１６】
産業用ロボット１０としては、特許文献１や特許文献２に記載された非走行型の台座固定式産業用ロボットを適用する。非走行型の産業用ロボット１０は、走行型ではなく台座が固定されており、ロボットアームを備えた６軸などの多軸ロボットが適用できる。非走行型の産業用ロボット１０を用いることで、ロボットが走行するための走行レーンが不要となる利点がある。
【００１７】
ロール処理ユニット１２としては、特許文献１や特許文献２に記載された感光膜塗布装置、電子彫刻装置、レーザ露光潜像形成装置、脱脂装置、砥石研磨装置、超音波洗浄装置、銅メッキ装置、表面硬化皮膜形成装置、現像装置、腐食装置、レジスト画像除去装置、ペーパー研磨装置などがロール処理ユニットとして適用できる。表面硬化皮膜形成装置としては、特許文献１や特許文献２に記載されたように、クロムメッキ装置、ＤＬＣ膜形成装置、又は二酸化珪素被膜形成装置を表面硬化皮膜形成装置として適用できる。
【００１８】
ロールストック装置１４としては、特許文献１や特許文献２に記載されたロールストック装置を適用できる。
【００１９】
グラビア製版用ロール処理システムの構成例（ａ）〜（ｈ）は、本発明のグラビア製版用ロール処理システムの構成例選定システム２０によって、ユーザによって最適な構成例が選定される。
【００２０】
本発明のグラビア製版用ロール処理システムの構成例選定システム２０のブロック構成図を図２に示す。
【００２１】
グラビア製版用ロール処理システムの構成例選定システム２０は、少なくとも一つの産業用ロボット１０と、少なくとも一つのロール処理ユニット１２と、少なくとも一つのロールストック装置１４とを含む複数のグラビア製版用ロール処理システムの構成例１６ａ〜１６ｈを記憶する記憶部２２と、ユーザ側情報として、必要とするロール処理ユニット又は既存のロール処理ユニットを入力するためのユーザ側情報入力操作部２４と、前記入力操作部２４によって入力されたユーザ側情報に基づいて、前記記憶部２２に記憶された複数のグラビア製版用ロール処理システムの構成例１６ａ〜１６ｈの中からユーザに最も適したグラビア製版用ロール処理システムの構成例を選定する制御部２６と、前記選定された特定のグラビア製版用ロール処理システムを表示する表示部２８と、を含む構成とされている。
【００２２】
また、前記ユーザ側情報としては、日産本数をさらに入力するように構成されている。
【００２３】
図２の例では、前記記憶部２２及び制御部２６はサーバ３０に格納されており、ユーザ端末装置３２とインターネットや社内ＬＡＮ（Local Area Network）などの通信ネットワーク３４で接続されている。
【００２４】
ユーザ端末装置３２には、ユーザ側情報入力操作部２４及び前記表示部２８が備わっている。さらにまた、ユーザ端末装置３２には、入力部３６、通信インターフェース３８、ＲＡＭ／ＲＯＭ４０、ＣＰＵ（制御装置・演算装置）４２、メモリ（主記憶装置）４４、及び表示インターフェース４６が備わっており、ユーザ側情報入力操作部２４からの入力信号によってサーバ３０内の複数のグラビア製版用ロール処理システムの構成例１６ａ〜１６ｈが呼び出されて、ユーザにとって最適な条件のグラビア製版用ロール処理システムの構成例が選定されて、ユーザ端末装置３２の表示部２８に表示される構成とされている。これらは所定のプログラムによって実行される。ユーザ側情報入力操作部２４としては、キーボードやタッチパネルを適用でき、表示部２８としては、例えば液晶ディスプレイを適用できる。
【００２５】
ユーザに最も適したグラビア製版用ロール処理システムの構成例をプログラムによって表示部２８に表示するにあたっては、例えばＨＴＭＬ（HyperText Markup Language）、ＣＨＴＭＬ(Compact HTML)、ＨＤＭＬ（Handheld Device Markup Language）、ＸＭＬ（eXtensible Markup Language）、ＸＨＴＭＬ（eXtensible HyperText Markup Language）等とＣＧＩ（Common Gateway Interface）又はＪａｖａ(登録商標)等とを組み合わせて表示したり、公知の種々の画像データファイルや動画ファイルと組み合わせて表示したりすればよく、特に表示にあたっての記述言語や使用するファイル形式の種類の限定はされない。また、スクリプト言語やプログラミング言語の種類には限定されない。
【００２６】
なお、図示例では、ユーザ端末装置３２とサーバ３０とを通信ネットワーク３４で接続した例を示したが、通信ネットワーク３４を使用せずに、ユーザ端末装置３２に複数のグラビア製版用ロール処理システムの構成例を記憶させておき、入力されたユーザ側情報に応じてプログラム処理によって、ユーザにとって最適な条件のグラビア製版用ロール処理システムの構成例が選定されて、ユーザ端末装置３２の表示部２８に表示される構成とすることもできる。
【００２７】
図３に、本発明のグラビア製版用ロール処理システムの構成例選定システム２０における構成例選定処理の流れを示すフローチャートの１例を示す。
【００２８】
まず、ユーザは、ユーザ側情報として、ユーザ端末装置３２のユーザ側情報入力操作部２４に、必要とするロール処理ユニット又は既存のロール処理ユニットを入力する。図３の例では、最初の選択入力として、フル工程が必要かどうか、つまり全ての製版工程に必要なロール処理ユニットを希望するかの選択入力がある（図３のＳ１００）。
【００２９】
フル工程が必要と選択入力した場合には、ユーザは、ユーザ側情報として、ユーザ端末装置３２のユーザ側情報入力操作部２４に、希望する日産本数を入力する（図３のＳ１０２）。例えば、入力されたグラビア製版用ロールの処理を行う日産本数が８０本／日の場合（図３のＳ１０４）、図１に示すような構成例（ａ）（図１（ａ））が選定されて表示部２８に表示される。
【００３０】
構成例（ａ）というのは、図１に示したグラビア製版用ロール処理システムの構成例１６ａである。グラビア製版用ロール処理システムの構成例１６ａはフル工程に対応しており、特許文献１や特許文献２に記載されたような全自動グラビア製版処理システムである。グラビア製版用ロール処理システムの構成例１６ａでは、ロールストック装置１４に置いてあるアルミなどの金属製中空ロールの版母材（被製版ロール）を非走行型の第一の産業ロボット及び第二の産業ロボットを用いて第一の産業ロボット及び第二の産業ロボットとの間で被製版ロールを受け渡したりしながら、全自動でロール処理ユニット１２に次々に移載していき製版処理が行われるように構成されている。
【００３１】
ロール処理ユニット１２としては、感光膜塗布装置、電子彫刻装置、レーザ露光潜像形成装置、脱脂装置、砥石研磨装置、超音波洗浄装置、銅メッキ装置、表面硬化皮膜形成装置、現像装置、腐食装置、レジスト画像除去装置、ペーパー研磨装置などが設置されている。
【００３２】
同様にして、入力されたグラビア製版用ロールの処理を行う日産本数が１６０本／日の場合（図３のＳ１０６）、構成例（ｂ）（図１（ｂ））が選定されて表示部２８に表示される。構成例（ｂ）は図１に示したグラビア製版用ロール処理システムの構成例１６ｂであり、グラビア製版用ロール処理システムの構成例１６ａに比べて、産業用ロボット１０、ロール処理ユニット１２及びロールストック装置１４の台数がそれぞれ倍増している。これにより、従事するオペレータを増やすことなく日産本数を倍増させることができるのである。
【００３３】
また、入力されたグラビア製版用ロールの処理を行う日産本数が３２０本／日の場合（図３のＳ１０８）、構成例（ｃ）（図１（ｃ））が選定されて表示部２８に表示される。構成例（ｃ）は図１に示したグラビア製版用ロール処理システムの構成例１６ｃであり、グラビア製版用ロール処理システムの構成例１６ｂに比べて、産業用ロボット１０、ロール処理ユニット１２及びロールストック装置１４の台数がさらにそれぞれ倍増している。これにより、従事するオペレータを増やすことなく日産本数を倍増させることができるのである。
【００３４】
一方、既に銅メッキ装置や研磨装置などを有していたりするユーザは、最初の選択肢で、フル工程が必要ではないと選択入力する（図３のＳ１００）。その場合、図３の例では、銅メッキ装置が必要かどうかを選択入力する（図３のＳ１１０）。
【００３５】
ユーザが銅メッキ装置を必要とする場合、研磨装置（銅メッキを研磨するためのペーパー研磨装置）を必要かどうかで選択入力する（図３のＳ１１２）。
【００３６】
かかる研磨装置が必要と選択入力した場合、ユーザは、ユーザ側情報として、ユーザ端末装置３２のユーザ側情報入力操作部２４に、希望する日産本数を入力する（図３のＳ１１４）。日産本数に応じて、グラビア製版用ロール処理システムの構成例が表示部２８に表示される。入力されたグラビア製版用ロールの処理を行う日産本数が１２０本／日の場合（図３のＳ１１６）、構成例（ｇ）（図１（ｇ））が選定されて表示部２８に表示される。構成例（ｇ）、即ち図１のグラビア製版用ロール処理システムの構成例１６ｇは銅メッキ・研磨のベースモデルである。
【００３７】
入力されたグラビア製版用ロールの処理を行う日産本数が１５０本／日の場合（図３のＳ１１８）、構成例（ｈ）（図１（ｈ））が選定されて表示部２８に表示される。構成例（ｈ）、即ち図１のグラビア製版用ロール処理システムの構成例１６ｈは銅メッキ・研磨の増強モデルである。
【００３８】
かかる研磨装置が不要と選択入力した場合、図１に示したグラビア製版用ロール処理システムの構成例以外のその他の構成例が選定されて表示部２８に表示される（図示は省略）。
【００３９】
一方、銅メッキ装置は不要と選択入力した場合、産業用ロボット１０とロールストック装置１４の他に、ロール処理ユニット１２として、感光膜塗布装置、レーザ露光潜像形成装置、脱脂装置、砥石研磨装置、超音波洗浄装置、表面硬化皮膜形成装置、現像装置、腐食装置、レジスト画像除去装置などが設置された構成例となる。表面硬化皮膜形成装置としてはクロムメッキ装置の例を示した。
【００４０】
かかる銅メッキ装置は不要と選択入力した場合、ユーザは、ユーザ側情報として、ユーザ端末装置３２のユーザ側情報入力操作部２４に、希望する日産本数を入力する（図３のＳ１２０）。日産本数に応じて、グラビア製版用ロール処理システムの構成例が表示部２８に表示される。入力されたグラビア製版用ロールの処理を行う日産本数が８０本／日の場合（図３のＳ１２２）、構成例（ｄ）（図１（ｄ））が選定されて表示部２８に表示される。構成例（ｄ）、即ち図１のグラビア製版用ロール処理システムの構成例１６ｄは製版メーカー向けのベースモデルである。
【００４１】
入力されたグラビア製版用ロールの処理を行う日産本数が１２０本／日の場合（図３のＳ１２４）、構成例（ｅ）（図１（ｅ））が選定されて表示部２８に表示される。構成例（ｅ）、即ち図１のグラビア製版用ロール処理システムの構成例１６ｅは、感光膜塗布装置を２台及び表面硬化皮膜形成装置としてクロムメッキ装置を２台とし、構成例（ｄ）よりも生産性をアップさせたモデルである。
【００４２】
入力されたグラビア製版用ロールの処理を行う日産本数が２００本／日の場合（図３のＳ１２６）、構成例（ｆ）（図１（ｆ））が選定されて表示部２８に表示される。構成例（ｆ）、即ち図１のグラビア製版用ロール処理システムの構成例１６ｆは、上記した構成例（ｅ）に加えて、さらに表面硬化皮膜形成装置として、電子彫刻用のクロムメッキ装置を１台追加したモデルである。グラビア製版用ロール処理システムの構成例１６ｆは、ユーザが電子彫刻装置を既に有している場合に最適なモデルである。
【００４３】
このようにして、必要とするロール処理ユニット又は既存のロール処理ユニットを入力すれば、ユーザのニーズに合った最適なグラビア製版用ロール処理システムの構成例を選定することができる。
【００４４】
なお、図３のフローチャートの例では、ユーザが必要とするロール処理ユニットを入力することでグラビア製版用ロール処理システムの構成例を選定できるようにした例を示したが、ユーザが既存のロール処理ユニットを入力することでグラビア製版用ロール処理システムの構成例を選定できるようにしてもよい。
【符号の説明】
【００４５】
１０：産業用ロボット、１２：ロール処理ユニット、１４：ロールストック装置、１６ａ〜１６ｈ：グラビア製版用ロール処理システムの構成例、１８：コントロールパネル、２０：グラビア製版用ロール処理システムの構成例選定システム、２２：記憶部、２４：ユーザ側情報入力操作部、２６：制御部、２８：表示部、３０：サーバ、３２：ユーザ端末装置、３４：通信ネットワーク、３６：入力部、３８：通信インターフェース、４０：ＲＡＭ／ＲＯＭ、４２：ＣＰＵ、４４：メモリ、４６：表示インターフェース。
【図１】
2019159589.tif 000003
【図２】
2019159589.tif 000004
【図３】
2019159589.tif 000005
【国際調査報告】
2019159589.tif 000006
2019159589.tif 000007
2019159589.tif 000008